(57)【要約】  エレベータを利用して、建物に残された避難者を継続的に避難させることができるエレベータ装置を提供する。このため、エレベータ装置は、避難運転モード要求装置(6)が操作された状態に維持されている場合は、エレベータの運転モードをエレベータのかごが救出階(4a〜4c)と避難階(5)との間を行き来する避難運転モードに設定し、当該救出階(4a〜4c)に対応した避難運転モードの際にかごが当該救出階(4a〜4c)に停止してから予め設定された時間が経過する前に当該救出階(4a〜4c)においてかご動作指示装置(7)が操作された場合は当該救出階(4a〜4c)に対応した避難運転モードを維持し、当該救出階(4a〜4c)に対応した避難運転モードの際にかごが当該救出階(4a〜4c)に停止してから予め設定された時間が経過する前に当該救出階(4a〜4c)においてかご動作指示装置(7)が操作されない場合は当該救出階(4a〜4c)に対応した避難運転モードを解除する制御装置、を備えた。
2016046916.tif 000002
【特許請求の範囲】
【請求項１】
救出階においてエレベータの乗場に設けられ、操作され得るように形成された避難運転モード要求装置と、  前記救出階において前記エレベータの乗場に設けられ、操作され得るように形成されたかご動作指示装置と、  前記避難運転モード要求装置が操作された状態に維持されている場合は、前記エレベータの運転モードを前記エレベータのかごが当該救出階と避難階との間を行き来する避難運転モードに設定し、当該救出階に対応した避難運転モードの際に前記かごが当該救出階に停止してから予め設定された時間が経過する前に当該救出階において前記かご動作指示装置が操作された場合は当該救出階に対応した避難運転モードを維持し、当該救出階に対応した避難運転モードの際に前記かごが当該救出階に停止してから予め設定された時間が経過する前に当該救出階において前記かご動作指示装置が操作されない場合は当該救出階に対応した避難運転モードを解除する制御装置と、を備えたエレベータ装置。
【請求項２】
前記制御装置は、当該救出階に対応した避難運転モードの際に前記かごが当該救出階に停止してから予め設定された時間が経過する前に当該救出階において前記かご動作指示装置が操作されない場合は、当該救出階に対応した避難運転モードの解除後に前記エレベータの扉を閉じ、前記かごを前記避難階へ移動させる請求項１にエレベータ装置。
【請求項３】
前記救出階において前記エレベータの乗場に設けられ、当該救出階に対応した避難運転モードの際に前記かごが当該救出階に停止してから予め設定された時間が経過する前に当該救出階において前記かご動作指示装置が操作されないことにより当該救出階に対応した避難運転モードの解除後に前記エレベータの扉が閉じる前に、当該救出階に対応した避難運転モードの解除が予定されていることを報知する報知装置、を備えた請求項１または請求項２に記載のエレベータ装置。
【請求項４】
前記制御装置は、前記報知装置により当該救出階に対応した避難運転モードの解除の予定が報知された後で前記エレベータの扉が全閉する前に当該救出階において前記かご動作指示装置が操作された場合は当該救出階に対応した避難運転モードの解除の予定を取り消す請求項３に記載のエレベータ装置。
【請求項５】
前記救出階において前記エレベータの乗場に設けられ、当該救出階において前記避難運転モード要求装置が操作された際に前記エレベータの運転モードが他の救出階に対応した避難運転モードに設定されている場合に、前記制御装置が当該救出階に対応した避難運転モードを予約した際に点灯する点灯装置、を備えた請求項１から請求項４のいずれか一項に記載のエレベータ装置。
【請求項６】
前記救出階において前記エレベータの乗場に設けられ、前記エレベータの運転モードが当該救出階に対応した避難運転モードとなるまでの順番に応じて異なった情報を表示する予約状態表示装置、を備えた請求項５に記載のエレベータ装置。
【請求項７】
前記救出階において前記エレベータの乗場に設けられ、前記エレベータの運転モードが休止モードとなった場合に、前記かごへ進入できないことを示す情報を表示する進入禁止表示装置、を備えた請求項１から請求項６のいずれか一項に記載のエレベータ装置。
【発明の詳細な説明】
【技術分野】
【０００１】  この発明は、エレベータ装置に関する。
【背景技術】
【０００２】  特許文献１は、エレベータ装置を開示する。当該エレベータ装置においては、救出階と避難階とが設定される。避難運転モード要求装置は、各救出階に設けられる。火災等の災害が発生した場合、避難誘導員は、避難運転モード要求装置を操作する。避難運転モード要求装置が操作された状態に維持されている場合、かごは、避難運転モードによる動作を維持する。避難運転モードにおいて、かごは、当該救出階と避難階との間を行き来する。このため、当該救出階に残された避難者は、避難階に避難することができる。
【先行技術文献】
【特許文献】
【０００３】
【特許文献１】国際公開第２０１３／００１６４３号
【発明の概要】
【発明が解決しようとする課題】
【０００４】  しかしながら、特許文献１に記載のものにおいて、当該救出階に残された避難者が避難した後、避難誘導員が避難運転要求装置の操作を解除することなく非常階段等で避難する場合もある。この場合、かごは、当該救出階と避難階との間の行き来を維持する。この際、当該救出階以外の救出階に残された避難者は、エレベータを利用して避難することができない。【０００５】  この発明は、上述の課題を解決するためになされた。この発明の目的は、エレベータを利用して、建物に残された避難者を継続的に避難させることができるエレベータ装置を提供することである。
【課題を解決するための手段】
【０００６】  この発明に係るエレベータ装置は、救出階においてエレベータの乗場に設けられ、操作され得るように形成された避難運転モード要求装置と、前記救出階において前記エレベータの乗場に設けられ、操作され得るように形成されたかご動作指示装置と、前記避難運転モード要求装置が操作された状態に維持されている場合は、前記エレベータの運転モードを前記エレベータのかごが当該救出階と避難階との間を行き来する避難運転モードに設定し、当該救出階に対応した避難運転モードの際に前記かごが当該救出階に停止してから予め設定された時間が経過する前に当該救出階において前記かご動作指示装置が操作された場合は当該救出階に対応した避難運転モードを維持し、当該救出階に対応した避難運転モードの際に前記かごが当該救出階に停止してから予め設定された時間が経過する前に当該救出階において前記かご動作指示装置が操作されない場合は当該救出階に対応した避難運転モードを解除する制御装置と、を備えた。
【発明の効果】
【０００７】  この発明によれば、予め設定された時間が経過する前にかご動作指示装置が操作されない場合、制御装置は、当該救出階に対応した避難運転モードを自動的に解除する。このため、他の救出階に対応した避難運転モードが設定され得る状態となる。その結果、エレベータを利用して、建物に残された避難者を継続的に避難させることができる。
【図面の簡単な説明】
【０００８】
【図１】この発明の実態の形態１におけるエレベータ装置を利用した建物の構成図である。
【図２】この発明の実施の形態１におけるエレベータ装置の制御装置のブロック図である。
【図３】この発明の実施の形態１におけるエレベータ装置を利用した救出階の乗場の正面図である。
【図４】この発明の実施の形態１におけるエレベータ装置を利用した避難階の乗場の正面図である。
【図５】この発明の実施の形態１におけるエレベータ装置のかごの内部の斜視図である。
【図６】この発明の実施の形態１におけるエレベータ装置の予約状態表示装置の表示の例を説明するための図である。
【図７】この発明の実施の形態１におけるエレベータ装置の動作を説明するためのフローチャートである。
【発明を実施するための形態】
【０００９】  この発明を実施するための形態について添付の図面に従って説明する。なお、各図中、同一又は相当する部分には同一の符号が付される。当該部分の重複説明は適宜に簡略化または省略する。
【００１０】実施の形態１．  図１はこの発明の実態の形態１におけるエレベータ装置を利用した建物の構成図である。
【００１１】  図１において、建物は、複数の階を備える。例えば、複数の階は、１階から１２階からなる。エレベータの昇降路１は、建物の一側に設けられる。昇降路１は、建物の各階を貫く。エレベータの乗場２は、建物の各階に設けられる。各乗場２は、昇降路１に対向する。エレベータのかご３は、昇降路１の内部において昇降し得るように設けられる。
【００１２】  建物に対し、少なくとも１つの救出階が予め設定される。例えば、３つの救出階が予め設定される。例えば、救出階４ａは、５階に設定される。例えば、救出階４ｂは、８階に設定される。例えば、救出階４ｃは、１１階に設定される。建物に対し、少なくとも１つの避難階が予め設定される。例えば、避難階５は、最下階の１階に設定される。
【００１３】  避難運転モード要求装置６は、救出階４ａ、４ｂ、４ｃにおいてエレベータの乗場２に設けられる。例えば、避難運転モード要求装置６は、スイッチからなる。避難運転モード要求装置６は、操作され得るように形成される。かご動作指示装置７は、救出階４ａ、４ｂ、４ｃにおいてエレベータの乗場２に設けられる。かご動作指示装置７は、操作され得るように形成される。
【００１４】  報知装置８は、救出階４ａ、４ｂ、４ｃにおいてエレベータの乗場２に設けられる。例えば、報知装置８は、受信した信号に基づいた情報を音で報知し得るように形成される。点灯装置９は、救出階４ａ、４ｂ、４ｃにおいてエレベータの乗場２に設けられる。点灯装置９は、受信した信号に基づいて点灯し得るように形成される。
【００１５】  予約状態表示装置１０は、救出階４ａ、４ｂ、４ｃにおいてエレベータの乗場２に設けられる。予約状態表示装置１０は、受信した信号に基づいた情報を表示し得るように形成される。進入禁止表示装置１１は、救出階４ａ、４ｂ、４ｃにおいてエレベータの乗場２に設けられる。進入禁止表示装置１１は、受信した信号に基づいた情報を表示し得るように形成される。
【００１６】  例えば、エレベータの制御装置１２は、昇降路１の上部に設けられる。制御装置１２は、避難運転モード要求装置６とかご動作指示装置７と報知装置８と点灯装置９と予約状態表示装置１０と進入禁止表示装置１１とに電気的に接続される。
【００１７】  建物において火災等の災害が発生した場合、建物に残された避難者を避難させる必要がある。この場合、避難誘導員１３ａは、担当の救出階４ａの乗場２に即座に駆け付ける。避難誘導員１３ｂは、担当の救出階４ｂの乗場２に即座に駆け付ける。避難誘導員１３ｃは、担当の救出階４ｃの乗場２に即座に駆け付ける。
【００１８】  避難誘導員１３ａは、かご３を利用して避難者１４ａを避難階５へ避難誘導する。避難誘導員１３ｂは、かご３を利用して避難者１４ｂを避難階５へ避難誘導する。避難誘導員１３ｃは、かご３を利用して避難者１４ｃを避難階５へ避難誘導する。
【００１９】  例えば、避難誘導員１３ａは、救出階４ａにおいて避難運転モード要求装置６を操作する。避難運転モード要求装置６が操作された状態に維持されている場合、制御装置１２は、エレベータの運転モードをかご３が救出階４ａと避難階５とを行き来する避難運転モードに設定する。
【００２０】  救出階４ａに対応した避難運転モードの際にかご３が救出階４ａに停止してから予め設定した時間が経過する前に避難誘導員１３ａがかご動作指示装置７を操作した場合、制御装置１２は、救出階４ａに対応した避難運転モードを維持する。この際、制御装置１２は、エレベータの扉を閉じ、かご３を避難階５に移動させる。
【００２１】  救出階４ａに対応した避難運転モードの際にかご３が救出階４ａに停止してから予め設定した時間が経過する前に避難誘導員１３ａがかご動作指示装置７を操作しない場合、制御装置１２は、救出階４ａに対応した避難運転モードを解除する。この際、制御装置１２は、エレベータの扉を閉じ、かご３を避難階５に移動させる。
【００２２】  制御装置１２は、救出階４ａに対応した避難運転モードの解除後にエレベータの扉を閉じる前に救出階４ａに対応した避難運転モードの解除が予定されていることを報知装置８に報知させる。避難誘導員１３ａは、避難運転モードの維持を希望する際はエレベータの扉が全閉する前にかご動作指示装置７を操作する。制御装置１２は、かご動作指示装置７が操作された際に避難運転モードの解除の予定を取り消す。
【００２３】  例えば、エレベータの運転モードが救出階４ａと避難階５との間を行き来する避難運転モードに設定されている場合に避難誘導員１３ｂが救出階４ｂにおいて避難運転モード要求装置６を操作する。この場合、制御装置１２は、救出階４ｂに対応した避難運転モードを予約する。この際、救出階４ｂの点灯装置９は、点灯する。救出階４ｂの予約状態表示装置１０は、エレベータの運転モードが救出階４ｂに対応した避難運転モードとなるまでの順番に応じて異なった情報を表示する。
【００２４】  例えば、昇降路１またはかご３の冠水が発生した場合、制御装置１２は、エレベータの運転モードを休止モードにする。例えば、昇降路１またはかご３が高温になった場合、制御装置１２は、エレベータの運転モードを休止モードにする。これらの場合、救出階４ａ、４ｂ、４ｃの進入禁止表示装置１１は、かご３へ進入できないことを示す情報を通常とは異なる内容で表示する。例えば、進入禁止表示装置１１は、かご３へ進入できないことを示す情報を点滅させて表示する。
【００２５】  次に、図２を用いて、制御装置１２を説明する。  図２はこの発明の実施の形態１におけるエレベータ装置の制御装置のブロック図である。
【００２６】  例えば、制御装置１２は、ＣＰＵとメモリとを備えたマイクロコンピュータからなる。例えば、制御装置１２は、かご動作制御手段１２ａと報知制御手段１２ｂと点灯制御手段１２ｃと第１表示制御手段１２ｄと第２表示制御手段１２ｅとを備える。
【００２７】  かご動作制御手段１２ａは、かご３の動作を制御する。例えば、かご動作制御手段１２ａは、避難運転モード要求装置６が操作された際に送信する避難運転モード要求信号を受信する。かご動作制御手段１２ａは、当該避難運転モード要求信号に基づいてエレベータの運転モードを避難運転モードに設定する。例えば、かご動作制御手段１２ａは、かご３が救出階４ａ等に停止してから予め設定された時間が経過する前にかご動作指示装置７が操作された際に送信する移動要求信号を受信する。かご動作制御手段１２ａは、当該移動要求信号に基づいて救出階４ａ等に対応した避難運転モードを維持する。この際、かご動作制御手段１２ａは、かご３を避難階５へ移動させる。例えば、かご動作制御手段１２ａは、かご３が救出階４ａ等に停止してから予め設定された時間が経過する前にかご動作指示装置７が操作された際に送信する移動要求信号を受信しない場合、救出階４ａ等に対応した避難運転モードを解除する。この際、かご動作制御手段１２ａは、かご３を避難階５へ移動させる。例えば、かご動作制御手段１２ａは、救出階４ａ等においてエレベータの扉が全閉する前にかご動作指示装置７が操作された際に送信する取消信号を受信すると、当該取消信号に基づいて避難運転モードの解除の予定を取り消す。
【００２８】  報知制御手段１２ｂは、報知装置８の報知を制御する。例えば、報知制御手段１２ｂは、かご３が救出階４ａ等に停止してから予め設定された時間が経過する前にかご動作指示装置７が操作されないことによりエレベータの扉が閉じる前に、救出階４ａ等の報知装置８に報知信号を送信する。この際、救出階４ａ等の報知装置８は、当該報知信号に基づいて避難運転モードの解除が予定されていることを報知する。
【００２９】  点灯制御手段１２ｃは、点灯装置９の点灯を制御する。例えば、点灯制御手段１２ｃは、かご動作制御手段１２ａが救出階４ｂ等と避難階５との間を行き来する避難運転モードを予約した際に救出階４ｂ等の点灯装置９に点灯信号を送信する。この際、救出階４ｂ等の点灯装置９は、当該点灯信号に基づいて点灯する。
【００３０】  第１表示制御手段１２ｄは、予約状態表示装置１０の表示を制御する。例えば、第１表示制御手段１２ｄは、エレベータの運転モードが救出階４ａ等に対応した避難運転モードとなるまでの順番に応じて異なった予約状態信号を救出階４ａ等の予約状態表示装置１０に送信する。この際、救出階４ａ等の予約状態表示装置１０は、当該予約状態信号に基づいてエレベータの運転モードが救出階４ａ等に対応した避難運転モードとなるまでの順番に応じて異なった情報を表示する。
【００３１】  第２表示制御手段１２ｅは、進入禁止表示装置１１の表示を制御する。例えば、第２表示制御手段１２ｅは、エレベータの運転モードが休止モードとなった場合に進入禁止信号を救出階４ａ等の進入禁止表示装置１１に送信する。この際、救出階４ａ等の進入禁止表示装置１１は、かご３へ進入できないことを示す情報を通常とは異なる内容で表示する。
【００３２】  次に、図３を用いて、救出階４ａ〜４ｃの乗場２を説明する。  図３はこの発明の実施の形態１におけるエレベータ装置を利用した救出階の乗場の正面図である。
【００３３】  図３に示すように、扉１５ａは、乗場２の出入口に設けられる。乗場操作盤１６ａは、乗場２の出入口の一側の下部に設けられる。乗場操作盤１６ａは、制御装置１２（図３においては図示せず）に接続される。乗場操作盤１６ａは、かご動作指示装置７と表示装置とを備える。
【００３４】  かご動作指示装置７は、乗場操作盤１６ａの下部に設けられる。かご動作指示装置７は、操作ボタンを兼ねる。操作ボタンは、上方ボタン１７ａと下方ボタン１８ａとからなる。操作ボタンは、ボタン灯を備える。ボタン灯は、点灯装置９を兼ねる。表示装置は、乗場操作盤１６ａの上部に設けられる。表示装置は、位置表示装置１９ａと移動方向表示装置２０ａとからなる。位置表示装置１９ａは、表示装置の下部に設けられる。位置表示装置１９ａは、かご３の位置を示す情報を表示する。例えば、位置表示装置１９ａは、かご３の位置に最も近い階を示す数字を表示する。移動方向表示装置２０ａは、表示装置の上部に設けられる。移動方向表示装置２０ａは、かご３の移動方向を示す情報を表示する。例えば、移動方向表示装置２０ａは、かご３の移動方向を矢印で表示する。
【００３５】  避難誘導操作盤２１は、乗場２の出入口の一側の上部に設けられる。避難誘導操作盤２１は、制御装置１２（図３においては図示せず）に接続される。避難誘導操作盤２１は、避難運転モード要求装置６と予約状態表示装置１０と進入禁止表示装置１１と通報装置２２とを備える。
【００３６】  避難運転モード要求装置６は、避難誘導操作盤２１の中央に設けられる。予約状態表示装置１０は、避難誘導表示装置を兼ねる。予約状態表示装置１０は、避難運転モード要求装置６の上方に設けられる。進入禁止表示装置１１は、避難運転モード要求装置６と予約状態表示装置１０との間に設けられる。通報装置２２は、避難運転モード要求装置６の下方に設けられる。通報装置２２は、通話ボタン２２ａとスピーカマイク２２ｂからなる。
【００３７】  次に、図４を用いて、避難階５の乗場２を説明する。  図４はこの発明の実施の形態１におけるエレベータ装置を利用した避難階の乗場の正面図である。
【００３８】  図４に示すように、扉１５ｂは、乗場２の出入口に設けられる。乗場操作盤１６ｂは、乗場２の出入口の一側の下部に設けられる。乗場操作盤１６ｂは、制御装置１２（図４においては図示せず）に接続される。乗場操作盤１６ｂは、操作ボタンと表示装置とを備える。
【００３９】  操作ボタンは、乗場操作盤１６ｂの下部に設けられる。操作ボタンは、上方ボタン１７ｂからなる。表示装置は、乗場操作盤１６ｂの上部に設けられる。表示装置は、位置表示装置１９ｂと移動方向表示装置２０ｂとからなる。位置表示装置１９ｂは、表示装置の下部に設けられる。位置表示装置１９ｂは、かご３の位置を示す情報を表示する。例えば、位置表示装置１９ｂは、かご３の位置に最も近い階を示す数字を表示する。移動方向表示装置２０ｂは、乗場操作盤１６ｂの上部に設けられる。移動方向表示装置２０ｂは、かご３の移動方向を表示する。例えば、移動方向表示装置２０ｂは、かご３の移動方向を矢印で表示する。
【００４０】  消防員用操作盤２３は、乗場２の出入口の一側の上部に設けられる。消防員用操作盤２３は、制御装置１２（図４においては図示せず）に接続される。消防員用操作盤２３は、強制帰着運転モード要求装置２４と通報装置２５と進入禁止表示装置２６と使用状態表示装置２７とを備える。
【００４１】  強制帰着運転モード要求装置２４は、消防員用操作盤２３の中央に設けられる。例えば、強制帰着運転モード要求装置２４は、スイッチからなる。通報装置２５は、強制帰着運転モード要求装置２４の下方に設けられる。通報装置２５は、通話ボタン２５ａとスピーカマイク２５ｂからなる。進入禁止表示装置２６は、強制帰着運転モード要求装置２４の上方に設けられる。使用状態表示装置２７は、進入禁止表示装置２６の上方に設けられる。
【００４２】  なお、救出階４ａ〜４ｃと避難階５以外の階の乗場２にも、進入禁止表示装置１１、２６とほぼ同等の禁止表示装置が設けられる。救出階４ａ〜４ｃと避難階５以外の階の乗場２にも、乗場操作盤１６ａ、１６ｂとほぼ同等の乗場操作盤が設けられる。
【００４３】  次に、図５を用いて、かご３の内部を説明する。  図５はこの発明の実施の形態１におけるエレベータ装置のかごの内部の斜視図である。
【００４４】  図５に示すように、扉１５ｃは、かご３の出入口に設けられる。かご内操作盤２８は、かご３の一側の側壁に設けられる。かご内操作盤２８は、制御装置１２（図５においては図示せず）に接続される。かご内操作盤２８は、操作ボタン２９と表示装置とを備える。
【００４５】  操作ボタン２９は、かご内操作盤２８の下部に設けられる。表示装置は、かご内操作盤２８の上部に設けられる。表示装置は、位置表示装置１９ｃと移動方向表示装置２０ｃとからなる。位置表示装置１９ｃは、表示装置の下部に設けられる。位置表示装置１９ｃは、かご３の位置を示す情報を表示する。例えば、位置表示装置１９ｃは、かご３の位置に最も近い階を示す数字を表示する。移動方向表示装置２０ｃは、表示装置の上部に設けられる。移動方向表示装置２０ｃは、かご３の移動方向を示す情報を表示する。例えば、移動方向表示装置２０ｃは、かご３の移動方向を矢印で表示する。
【００４６】  連絡装置３０は、かご３の一側の側壁の上部に設けられる。連絡装置３０は、かご内操作盤２８よりもかご３の奥側に設けられる。連絡装置３０は、制御装置１２（図５においては図示せず）に接続される。連絡装置３０は、スピーカマイク３１と避難誘導表示装置３２とを備える。
【００４７】  スピーカマイク３１は、連絡装置３０の下部に設けられる。避難誘導表示装置３２は、連絡装置３０の上部に設けられる。
【００４８】  次に、図６を用いて、予約状態表示装置１０の表示の例を説明する  図６はこの発明の実施の形態１におけるエレベータ装置の予約状態表示装置１０の表示の例を説明するための図である。
【００４９】  図６において、ブロック３３ａは、エレベータの運転モードが当該救出階４ａ等に対応した避難運転モードとなっている場合における当該救出階４ａ等の予約状態表示装置１０の表示を表す。ブロック３３ｂは、エレベータの運転モードが救出階４ａ等に対応した避難運転モードとなるまでの順番が１番目である場合における当該救出階４ａ等の予約状態表示装置１０の表示を表す。ブロック３３ｃは、エレベータの運転モードが救出階４ａ等に対応した避難運転モードとなるまでの順番が２番目以降である場合における当該救出階４ａ等の予約状態表示装置１０の表示を表す。
【００５０】  ブロック３３ａにおいて、当該救出階４ａ等の予約状態表示装置１０は、常に点灯する。ブロック３３ｂにおいて、当該救出階４ａ等の予約状態表示装置１０は、１秒の間隔で点灯と消灯とを繰り返す。ブロック３３ｃにおいて、当該救出階４ａ等の予約状態表示装置１０は、０．５秒の間隔で点灯と消灯とを繰り返す。
【００５１】  次に、図７を用いて、エレベータ装置の動作を説明する。  図７はこの発明の実施の形態１におけるエレベータ装置の動作を説明するためのフローチャートである。
【００５２】  ステップＳ１では、制御装置１２は、避難運転モード要求装置６が操作されたことを検出する。その後、ステップＳ２に進む。ステップＳ２では、制御装置１２は、ステップＳ１で操作されたと判断された避難運転モード要求装置６がある救出階とは異なる救出階の避難運転モード要求装置６が既に操作された状態にあるか否かを判定する。
【００５３】  ステップＳ２で当該救出階とは異なる救出階の避難運転モード要求装置６が既に操作された状態にある場合は、ステップＳ３に進む。ステップＳ３では、制御装置１２は、当該救出階に対応した避難運転モードを予約する。この際、制御装置１２は、当該救出階の点灯装置９を点灯させる。
【００５４】  ステップＳ２で当該救出階とは異なる救出階の避難運転モード要求装置６が操作された状態にない場合は、ステップＳ４に進む。ステップＳ３で当該救出階とは異なる全ての救出階の避難運転モード要求装置６の操作が解除された場合も、ステップＳ４に進む。
【００５５】  ステップＳ４では、制御装置１２は、当該救出階を救出選択階に設定する。その後、ステップＳ５に進む。ステップＳ５では、制御装置１２は、かご３を当該救出選択階へ移動させる。かご３が当該救出選択階に到着すると、制御装置１２は、当該救出選択階において扉１５ａ、１５ｃを開く。この際、当該救出選択階の避難誘導員は、当該救出選択階に残された避難者をかご３の内部へ誘導する。
【００５６】  ステップＳ５の後は、ステップＳ６に進む。ステップＳ６では、制御装置１２は、かご３が当該救出選択階に停止してから予め設定された判定時間が経過したか否かを判定する。例えば、判定時間は、当該救出選択階における避難誘導員の避難活動に支障をきたさず、建物全体の避難活動を効率良く行うように予め設定される。例えば、判定時間は、５分に予め設定される。
【００５７】  ステップＳ６でかご３が当該救出選択階に停止してから判定時間が経過していない場合は、ステップＳ７に進む。ステップＳ７では、制御装置１２は、当該救出選択階のかご動作指示装置７が操作された否かを判定する。
【００５８】  ステップＳ７で当該救出選択階のかご動作指示装置７が操作されていない場合は、ステップＳ６に戻る。ステップＳ７で当該救出選択階のかご動作指示装置７が操作された場合は、ステップＳ８に進む。
【００５９】  ステップＳ８では、制御装置１２は、当該救出選択階において扉１５ａ、１５ｃを閉じ始める。その後、ステップＳ９に進み、制御装置１２は、当該救出選択階において扉１５ａ、１５ｃが全閉する前に当該救出選択階のかご動作指示装置７が再び操作されたか否かを判定する。
【００６０】  ステップＳ９で当該救出選択階において扉１５ａ、１５ｃが全閉する前に当該救出選択階のかご動作指示装置７が再び操作された場合は、ステップＳ１０に進む。ステップＳ１０では、制御装置１２は、当該救出選択階において扉１５ａ、１５ｃを反転して開く。その後、ステップＳ６からの動作が繰り返される。
【００６１】  ステップＳ９で当該救出選択階において扉１５ａ、１５ｃが全閉する前に当該救出選択階のかご動作指示装置７が再び操作されない場合は、ステップＳ１１に進む。ステップＳ１１では、制御装置１２は、かご３を避難階５に強制的に移動させる。かご３が避難階５に到着すると、制御装置１２は、予め設定された時間だけ扉１５ｂ、１５ｃを開く。
【００６２】  この際、制御装置１２は、かご３の内部の避難者をかご３の外部へ誘導する。例えば、制御装置１２は、アナウンスでかご３の内部の避難者をかご３の外部へ誘導する。例えば、制御装置１２は、チャイムでかご３の内部の避難者をかご３の外部へ誘導する。例えば、制御装置１２は、かご３の内部の照明を一旦消灯することによりかご３の内部の避難者をかご３の外部へ誘導する。その後、予め設定された時間が経過すると、制御装置１２は、扉１５ｂ、１５ｃを閉じる。その後、ステップＳ１２に進む。
【００６３】  ステップＳ１２では、制御装置１２は、当該救出選択階の避難運転モード要求装置６が操作された状態に維持されているか否かを判定する。ステップＳ１２で当該救出選択階の避難運転モード要求装置６が操作された状態に維持されている場合は、ステップＳ５からの動作が繰り返される。ステップＳ１２で当該救出選択階の避難運転モード要求装置６が操作された状態に維持されていない場合は、ステップＳ１３に進む。ステップＳ１３では、制御装置１２は、避難運転モードの予約があるか否かを判定する。
【００６４】  ステップＳ１３で避難運転モードの予約がある場合は、ステップＳ１４に進む。ステップＳ１４では、制御装置１２は、避難運転モードの予約の内容に応じて他の救出階を救出選択階とする。その後、ステップＳ５からの動作が繰り返される。ステップＳ１３で避難運転モードの予約がない場合は、ステップＳ１５に進む。ステップＳ１５では、制御装置１２は、避難運転モードを終了する。
【００６５】  ステップＳ６でかご３が当該救出選択階に停止してから判定時間が経過した場合は、ステップＳ１６に進む。ステップＳ１６では、制御装置１２は、当該避難選択階の報知装置８を動作させる。この際、報知装置８は、当該救出選択階の避難運転モードの解除が予定されていることを音で報知する。例えば、報知装置８は、チャイムで当該救出選択階の避難運転モードの解除が予定されていることを報知する。
【００６６】  ステップＳ１６の後は、ステップＳ１７に進む。ステップＳ１７では、制御装置１２は、当該救出選択階のかご動作指示装置７が操作された否かを判定する。ステップＳ１７で当該救出選択階のかご動作指示装置７が操作された場合は、ステップＳ６からの動作が繰り返される。ステップＳ１７で当該救出選択階のかご動作指示装置７が操作されない場合は、ステップＳ１８に進む。
【００６７】  ステップＳ１８では、制御装置１２は、当該救出選択階において扉１５ｂ、１５ｃを閉じる。その後、制御装置１２は、かご３を避難階５に強制的に移動させる。かご３が避難階５に到着すると、制御装置１２は、予め設定された時間だけ扉１５ｂ、１５ｃを開放する。
【００６８】  この際、制御装置１２は、かご３の内部の避難者をかご３の外部へ誘導する。例えば、制御装置１２は、アナウンスでかご３の内部の避難者をかご３の外部へ誘導する。例えば、制御装置１２は、チャイムでかご３の内部の避難者をかご３の外部へ誘導する。例えば、制御装置１２は、かご３の内部の照明を一旦消灯することによりかご３の内部の避難者をかご３の外部へ誘導する。その後、予め設定された時間が経過すると、制御装置１２は、扉１５ｂ、１５ｃを閉じる。その後、ステップＳ１３からの動作が繰り返される。
【００６９】  以上で説明した実施の形態１によれば、避難運転モード要求装置６が操作された状態に維持されている場合は、当該救出階４ａ等に対応した避難運転モードが維持される。この際、避難誘導員１３ａ等がかご動作指示装置７を操作するまで、かご３は当該救出階４ａ等に停止し続ける。予め設定された時間が経過する前にかご動作指示装置７が操作されない場合、制御装置１２は、当該救出階４ａ等に対応した避難運転モードを自動的に解除する。このため、他の救出階に対応した避難運転モードが設定され得る状態となる。その結果、エレベータを利用して、建物に残された避難者１４ａ等を継続的に避難させることができる。
【００７０】  この際、制御装置１２は、当該救出階４ａ等におけるかご３の停止を解除する。その後、制御装置１２は、扉１５ｂ、１５ｃを閉じる。その後、制御装置１２は、かご３を避難階５へ移動させる。このため、当該救出階４ａ等の避難誘導員１３ａ等が避難運転モード要求装置６の操作を解除することなく非常階段等で避難しても、当該救出階４ａ等においてかご３に残された避難者１４ａ等を避難階５に避難させることができる。
【００７１】  また、報知装置８は、避難運転モードの解除が予定されていることを報知する。このため、当該救出階４ａ等の避難誘導員１３ａ等は、当該救出階４ａ等に残された避難者１４ａ等の数等を考慮して、その時点における適切な対処を判断することができる。
【００７２】  この際、かご動作指示装置７が操作されれば、避難運転モードの解除の予定が取り消される。このため、当該救出階４ａ等の避難誘導員１３ａ等は、多くの避難者１４ａ等が当該救出階４ａ等に残されている場合でも当該救出階４ａ等に対応した避難運転モードを維持させることができる。
【００７３】  また、点灯装置９は、避難運転モードが予約された際に点灯する。このため、当該救出階４ａ等の避難誘導員１３ａ等と当該救出階４ａ等に残された避難者１４ａ等とは、しばらくすれば当該救出階４ａ等に対応した避難運転モードが設定されることを認識することができる。
【００７４】  また、予約状態表示装置１０は、当該救出階４ａ等に対応した避難運転モードとなるまでの順番に応じて異なった情報を表示する。このため、当該救出階４ａ等の避難誘導員１３ａ等と当該救出階４ａ等に残された避難者１４ａ等とは、当該救出階４ａ等に対応した避難運転モードとなるまでの順番を知ることができる。その結果、当該救出階４ａ等の避難誘導員１３ａと当該救出階４ａ等に残された避難者１４ａ等とは、どの程度待てば当該救出階４ａ等に対応した避難運転モードが設定されるかを認識することができる。
【００７５】  また、進入禁止表示装置１１は、エレベータが休止モードになった場合にかご３へ進入できないことを示す情報を表示する。このため、当該救出階４ａ等の避難誘導員１３ａ等と当該救出階４ａ等に残された避難者１４ａ等とは、かご３を利用して避難することができないことを認識できる。
【産業上の利用可能性】
【００７６】  以上のように、この発明に係るエレベータ装置は、建物に残された避難者を継続的に避難させるシステムに利用できる。
【符号の説明】
【００７７】  １  昇降路、  ２  乗場、  ３  かご、  ４ａ〜４ｃ  救出階、  ５  避難階、  ６  避難運転モード要求装置、  ７  かご動作指示装置、  ８  報知装置、  ９  点灯装置、  １０  予約状態表示装置、  １１  進入禁止表示装置、  １２  制御装置、  １２ａ  かご動作制御手段、  １２ｂ  報知制御手段、  １２ｃ  点灯制御手段、  １２ｄ  第１表示制御手段、  １２ｅ  第２表示制御手段、  １３ａ、１３ｂ、１３ｃ  避難誘導員、  １４ａ、１４ｂ、１４ｃ  避難者、  １５ａ、１５ｂ、１５ｃ  扉、  １６ａ、１６ｂ  乗場操作盤、  １７ａ、１７ｂ  上方ボタン、  １８ａ  下方ボタン、  １９ａ〜１９ｃ  位置表示装置、  ２０ａ、２０ｂ、２０ｃ  移動方向表示装置、  ２１  避難誘導操作盤、  ２２  通報装置、  ２２ａ  通話ボタン、  ２２ｂ  スピーカマイク、  ２３  消防員用操作盤、２４  強制帰着運転モード要求装置、  ２５  通報装置、  ２５ａ  通話ボタン、  ２５ｂ  スピーカマイク、  ２６  進入禁止表示装置、  ２７  使用状態表示装置、  ２８  かご内操作盤、  ２９  操作ボタン、  ３０  連絡装置、３１  スピーカマイク、  ３２  避難誘導表示装置、  ３３ａ、３３ｂ、３３ｃ  ブロック
【図１】
2016046916.tif 000003
【図２】
2016046916.tif 000004
【図３】
2016046916.tif 000005
【図４】
2016046916.tif 000006
【図５】
2016046916.tif 000007
【図６】
2016046916.tif 000008
【図７】
2016046916.tif 000009
【国際調査報告】
2016046916.tif 000010
2016046916.tif 000011
2016046916.tif 000012
2016046916.tif 000013